(57)【特許請求の範囲】
【請求項１】
二つの洗濯槽からなり、脱水機能を有する第１の洗濯槽と第２の洗濯槽にはそれぞれ清水供給部が導かれ、前記第１の洗濯槽の排水管に設けられた開閉バルブの手前位置から分岐管が前記第２の洗濯槽の一側面に設けられた第１の水位調整部に導かれ、前記第１の水位調整部は、第２の洗濯槽の壁面に設けられた縦長の窓孔と伸縮性を有する筒体と、前記筒体の上部に設けられて前記窓孔に対向する流出孔とを有し、前記筒体及び前記流出孔を上下動させて前記第１の洗濯槽からの排水を前記第２の洗濯槽の上下適位置に供給できるように構成され、さらに前記第２の洗濯槽の他側部には該第２洗濯槽の水位を調整する第２の水位調整部が形成されてなることを特徴とする洗濯装置
【請求項２】
前記分岐管が可撓性を有し前記二つの洗濯槽間の間隔が調整自在であることを特徴とする請求項１に記載の洗濯装置
【請求項３】
前記第１の洗濯槽と第２の洗濯槽の上方に設けた清水タンクと前記第１の洗濯槽及び第２の洗濯槽間にそれぞれ開閉バルブを介して注水管が設けられ前期第１の洗濯槽と第２の洗濯槽に適時に大量注水を可能にしたことを特徴とする請求項１，２に記載の洗濯装置
【発明の詳細な説明】
【技術分野】
【０００１】
本発明は、洗剤水、すすぎ水の再利用を可能にし、節水及び洗剤の節約を図ることができる経済的な洗濯装置に関する。
【背景技術】
【０００２】
出願人は、洗濯機水槽及び脱水槽からの排水パイプを、その下方に設けたタンク上端に連結し、タンクの下方には取水管を、上方には排水管を導出し、前記タンク及び保水タンクに洗剤水、すすぎ水を貯留して再利用する洗濯装置を提案している（特許文献１）。
【特許文献１】実公昭５９−３４４７２号公報
【発明の開示】
【発明が解決しようとする課題】
【０００３】
前記従来の洗濯装置は、洗剤水、すすぎ水等（以下「排水」という。）をタンク及び保水タンクに貯留してそれを再利用するものであり、その再利用手段も限られるものであった。本発明は、洗濯層を複数とし、多様な再利用が可能で節水及び洗剤の節約を図ることができる洗濯装置を提供することを目的とする。
【課題を解決するための手段】
【０００４】
前記目的達成のために、本発明は、二つの洗濯槽からなり、脱水機能を有する第１の洗濯槽と第２の洗濯槽にはそれぞれ清水供給部が導かれ、前記第１の洗濯槽の排水管に設けられた開閉バルブの手前位置から分岐管が前記第２の洗濯槽の一側面に設けられた第１の水位調整部に導かれて前記第１の洗濯槽からの排水を前記第２の洗濯槽の上下適位置に供給自在に構成され、さらに前記第２の洗濯槽の他側部には該第２の洗濯槽の水位を調整する第２の水位調整部が形成されてなることを特徴とする（請求項１）。
【０００５】
前記構成の本発明によれば、第１の洗濯槽及び第２の洗濯槽を水平に設置し、第１の洗濯槽の配水管に設けた開閉バルブを閉めることにより、前記第１の洗濯槽内の洗剤を含んだ排水を、前記分岐管を介して前記第２の洗濯槽に移すことができる。そして、前記第２の洗濯槽に移された洗剤を含んだ排水を利用し、また、必要に応じて若干の洗剤を補給して前記第２の洗濯槽において別の洗濯物の洗濯が可能である。すなわち、洗剤等を含んだ排水をそのまま捨てることなく再利用することができる。
【０００６】
具体的には、前記第１の洗濯槽の排水管が分岐され、該分岐管が前記第２の洗濯槽の一側面に設けられた第１の水位調整部に導かれて前記第１の洗濯槽からの排水を前記第２の洗濯槽の上下適位置に供給自在に構成されているため、前記第２の洗濯槽側の水位を低くするように調整することにより、前記分岐管を介して前記第１の洗濯槽の排水が前記第２の洗濯槽内に自然に流れ込み、前記第１の洗濯槽の水位を下げることができる。
【０００７】
さらに、前記第１の洗濯槽の水位を下げた状態で、該第１の洗濯槽内の洗濯物のすすぎを行なうことにより迅速なすすぎと節水が行なわれる。前記第２の洗濯槽が満杯なった場合は、前記排水管に設けられた開閉バルブを開き、あるいは前記第２の水位水調整部を調整して保水タンクに貯留しあるいは外部に放出すればよいものである。
【０００８】
本発明の実施の一形態は、前記分岐管が可撓性を有し前記二つの洗濯槽間の間隔が調整自在であることを特徴とする（請求項２）。この実施の一形態によれば、その設置現場に合わせて、前記第１の洗濯槽及び第２の洗濯槽を一体の状態とし、あるいは適宜間隔をあけて設置することができる。
【０００９】
本発明の実施の一形態は、前記第１の洗濯槽と第２の洗濯槽の上方に設けた清水タンクと前記第１の洗濯槽及び第２の洗濯槽間に開閉バルブを介してそれぞれ注水管が設けられ前記第１の洗濯槽及び第２の洗濯槽に適時に大量注水を可能にしたことを特徴とする（請求項３）。この実施の一形態によれば、特に、前記第１の洗濯槽及び第２の洗濯槽におけるすすぎを、大量注水によって迅速に行なうことができる。
【発明の効果】
【００１０】
本発明によれば、排水の再利用が可能であり、節水及び洗剤の節約を図ることができる。
【発明を実施するための最良の形態】
【００１１】
以下に、本発明の実施の一形態を図面に基づいて説明する。図１は、本発明の洗濯装置の概略全体図である。
【００１２】
図中、１は脱水機能を有する第１の洗濯槽、２は第２の洗濯槽であり、前記第１の洗濯槽１には開閉バルブ３を介して清水供給部４が導かれ、前記第２の洗濯槽２には開閉バルブ５を介して清水供給部６が導かれる。図中、７は水道蛇口からの延長配管である。
【００１３】
なお、図面実施例では、さらに、前記第１の洗濯槽１と第２の洗濯槽２の上方に清水タンク８が設けられ、該清水タンク８と前記第１の洗濯槽１間には開閉バルブ９を介して注水管１０が設けられ、前記清水タンク８と前記第２の洗濯槽２間には開閉バルブ１１を介して注水管１２が設けられている。
【００１４】
つぎに、前記第１の洗濯槽１の排水管１３に設けられた開閉バルブ１４の手前位置から開閉バルブ１５を介して分岐管１６が前記第２の洗濯槽２の一側面に設けられた第１の水位調整部１７導かれ、前記分岐管１６がＵ字状に形成されて、前記第１の洗濯槽１からの排水を前記第２の洗濯槽２の上下適位置に供給自在に構成される。前記水位調整部１７の詳細は後述する。なお、前記分岐管１６は可撓性を有するホース等とすることが好ましい。図中、１８は前記第１の洗濯槽１を構成する攪拌翼、１９は前記攪拌翼１８の駆動モータ、２０は脱水かごである。
【００１５】
さらに、前記第２の洗濯槽２の他側部には、前記水位調整部１７と略同様構成の水位調整部２１が形成される。図中、２２は前記第２の洗濯槽２の排水管、２３は該排水管２２の開閉バルブ、２４は攪拌翼、２５は該攪拌翼２の駆動モータ、２６は清水タンク８の自動給水停止装置、２７はオーバーフロー配管、２８は前記第２の水位調整部２１の排水管、２９は外部水処理部である。
【００１６】
図面実施例では、さらに前記分岐管１６から開閉バルブ３０を介して排水を貯留する保水タンク３１に連なる分岐管３２が延長され、前記保水タンク３１の内部には、自動給水停止装置３３、水中ポンプ３４が設けられている。なお、前記水中ポンプ３４からの配管３５は、好ましくは、ホースとされ、適宜、前記第１洗濯槽１あるいは第２の洗濯槽２に延長される。
【００１７】
図中、３４ａは電源コード、３６及び３７は、本発明を構成する主要な開閉バルブ及び駆動モータの制御板部である。
【００１８】
つぎに、前記第１の水位調整部１７及び第２の水位調整部２１について説明する。なお、前記第１の水位調整部１７及び第２の水位調整部２１は同様の構成であるため、同部材には同番号を付して説明する。
【００１９】
図面実施の一形態は、壁面２aに、縦長の窓孔３８を設け、該窓孔３８の上下部を覆うようにカバー３９を設け、該カバー３９内に、上端部が塞がれ、内部にコイルスプリング４０が内蔵され、前記縦長の窓孔３８を密閉及び上下スライドするシール板４１を有する柔軟性及び伸縮性を有する筒体４２を設け、該筒体４２の上部に前記壁面２ａの窓孔３８と対向させて流出孔４３を設けたものである。
【００２０】
さらに、前記筒体４２、同流出孔４３を上下動自在とするため、前記カバー３９の上端部に上下杆４４を貫通させ、該上下杆４４の下端部を前記筒体４２の上端部に連結したものである。図中、４５は前記上下杆４４の上下ハンドルである。
【００２１】
なお、前記筒体４２は、前記コイルスプリング４０により前記カバー３９の内側面に押圧され、前記上下杆４４によって上下移動させられた時、その上下位置に静止するように構成されている。図中、４６は前記第２の水位調整部２１の排水用の開閉バルブ、４７は前記第２の水位調整部２１の排水取り出し及び再利用のための開閉バルブである。
【００２２】
前記構成によれば、前記上下ハンドル４５により、前記上下杆４４を上下動させることにより、前記筒体４２及び流出孔４３を上下させることができ、該筒体４２及び流出孔４３が前記縦長の窓孔３８に沿って上下移動させられる。
【００２３】
したがって、前記第１の洗濯槽１から前記第２の洗濯槽２への排水量を自由に調整でき、しかも、前記第１の洗濯槽１で洗濯を完了し、該第１の洗濯槽１内の水位を低くしてすすぎを行なった場合にも第１の洗濯槽１の洗剤水を捨てることなく、第２の洗濯槽で再利用することができ、節水及び洗剤の節約を図ることができる。なお、前記第２の洗濯槽の水位調整は前記第２の水位調整部２１によって行なわれ、洗濯物が少ない場合あるいはすすぎ時には水位を下げて洗濯あるいはすすぎが行なわれる。
【００２４】
その他、本発明は、前記二つの洗濯槽、すなわち、第１の洗濯槽１及び第２の洗濯槽２を連携使用することにより、迅速且つ経済的に大量の洗濯物の洗濯、すすぎ、脱水を行なうことができる。
【図面の簡単な説明】
【００２５】
【図１】本発明に係る洗濯装置の概略全体図である。
【符号の説明】
【００２６】
１    第１の洗濯槽
１ａ  第１の洗濯槽の一側面
２    第２の洗濯槽
４    清水供給部
６    清水供給部
８    清水タンク
１０  注水管
１２  注水管
１３  排水管
１４  開閉バルブ
１７  第１の水位調整部
２１  第２の水位調整部
【図１】
0004360472.tif 000002